(57)【特許請求の範囲】
【請求項１】
ウエットティッシュロール（Ｒ）を収容し得る容器体（１）の上部に連続ウエットティッシュ（Ｔ）を一単位長さづつ引きちぎり得るウエットティッシュ取出口（２１）を設けたウエットティッシュ容器であって、
容器体（１）の上部寄り位置に、該容器体（１）に対して前記ウエットティッシュ取出口（２１）の向きを変更させ得るジャバラ部（１２）を設けた、
ことを特徴とするウエットティッシュ容器。
【発明の詳細な説明】
【０００１】
【発明の属する技術分野】
本願発明は、水やアルコール等を含浸させたウエットティッシュロールを収容し、そのウエットティッシュロールから順次一単位長さのウエットティッシュを取出せるようにしたウエットティッシュ容器に関するものである。
【０００２】
【従来の技術】
この種のウエットティッシュ容器として、図５に示すように、自動車内に設置して使用される比較的小型のものが市販されている。この図５に示す車載用のウエットティッシュ容器Ｘは、ウエットティッシュロールＲを収容する円筒状の容器体１の口部１１外周に、蓋体２を気密的に螺合して構成されている。尚、ウエットティッシュロールＲの連続ウエットティッシュＴには、通常、一単位の長さ間隔ごとに切断用のミシン目が形成されている。
【０００３】
蓋体２の中央部には、ウエットティッシュ取出口２１が形成されている。このウエットティッシュ取出口２１は、引出される連続ウエットティッシュＴを摩擦抵抗力によってミシン目で切断するために、スリット状又は小径穴状に形成している。即ち、連続ウエットティッシュＴを引出すときに、ウエットティッシュ取出口２１部分で大きな摩擦力を発生させて、張力の弱いミシン目部分で自動的に切断し得るようにしている。尚、このウエットティッシュ取出口２１には、開閉蓋２２が設けられている。
【０００４】
このウエットティッシュ容器Ｘを車載用として使用する場合には、図５に示すように、自動車のエアコンの排風口４に取付けた缶飲料用の容器ホルダー３内に縦向きに収容して設置されることが多いが、その設置状態ではウエットティッシュ取出口２１がほぼ鉛直の上方向に向くようになる。そして、ウエットティッシュを取出すときには、開閉蓋２２を鎖線図示（符号２２′）するように上方に開き、ウエットティッシュ先端部Ｔａを摘まんで上方に引き上げる。
【０００５】
【発明が解決しようとする課題】
ところで、ウエットティッシュ取出口２１は、ウエットティッシュ引出し時に連続ウエットティッシュＴをミシン目で切断する必要があることから、ウエットティッシュ引出し時の摩擦抵抗力が大きくなるようにしているが、このようにウエットティッシュ引出し時の摩擦抵抗力を大きくすると、ウエットティッシュ先端部Ｔａを摘まんで上方に引き上げたときに、それに連れてウエットティッシュ容器Ｘごと持ち上げられてしまう。
【０００６】
従って、図５に示す従来のウエットティッシュ容器Ｘでは、ウエットティッシュ取出し時に、片方の手で容器体１を握り、他方の手指でウエットティッシュ先端部Ｔａを摘まんで引出す必要があるので、両手が必要となってウエットティッシュ取出し作業が面倒であった。特に、自動車の運転者は、運転中にハンドルから手を離すことができないので、運転中は運転者自身でこのウエットティッシュ容器Ｘからウエットティッシュを取出すことができなかった。
【０００７】
本願発明は、このような事情に鑑み、缶飲料用の容器ホルダー内に収容した状態で、片手でウエットティッシュを取出せるようにしたウエットティッシュ容器を提供することを目的としている。
【０００８】
【課題を解決するための手段】
本願発明は、上記課題を解決するための手段として次の構成を有している。
【０００９】
本願発明は、ウエットティッシュロールを収容し得る容器体の上部に連続ウエットティッシュを一単位長さづつ引きちぎり得るウエットティッシュの取出口を設けたウエットティッシュ容器を対象にしている。尚、本願発明のウエットティッシュ容器は、例えば自動車のエアコンの排風口に取付けた缶飲料用の容器ホルダー３に収容して使用する場合に適したものであり、胴径が缶飲料容器の胴径とほぼ同じ程度（例えば外径が６０〜７０mm程度）の比較的小型に形成される。又、本願のウエットティッシュ容器に使用されるウエットティッシュロールは、連続ウエットティッシュに所定間隔をもって切断用のミシン目を施したものが使用される。
【００１０】
容器体は、角形のものでもよいが、円筒形のものが好ましい。又、ウエットティッシュ取出口は、開閉蓋で閉塞されているが、この開閉蓋は片手でワンタッチ開閉できる。尚、この種のウエットティッシュ容器では、開閉蓋を開くと、ウエットティッシュ取出口にウエットティッシュの先端部が臨出しており、該ウエットティッシュ臨出部を摘まんで引出すことができる。
【００１１】
そして、本願発明のウエットティッシュ容器には、容器体の上部寄り位置に、該容器体に対してウエットティッシュの取出口の向きを変更させ得るジャバラ部を設けている。このジャバラ部は、容器体の軸線方向に伸縮できるとともに、容器体の軸線に対して容器上部のウエットティッシュ取出口を全周方向に所定角度だけ（例えば角度６０°程度まで）傾動させ得るようになっている。
【００１２】
本願発明のウエットティッシュ容器は、ジャバラ部を縮小させたままで包装容器内に梱包できる。又、このウエットティッシュ容器は、ジャバラ部を縮小させたままで（この場合、ウエットティッシュ取出口が容器体の直上方に向いている）、従来の用法と同様に両手を使用して内部のウエットティッシュを取出すこともできるが、例えば自動車のエアコン排風口に取付けた缶飲料用の容器ホルダー内に収容して使用することができる。尚、缶飲料用の容器ホルダーは、内径が本願の容器体の外径より僅かに大きい程度で深さが４０〜５０mm程度の収容部を有している。そして、本願のウエットティッシュ容器では、容器ホルダーの収容部に収容した状態で該ウエットティッシュ容器の上部を水平方向に傾動させると、容器体の側面が収容部の口縁内面に衝合する一方、容器体の下端角部が収容部の下部内面に衝合して、ウエットティッシュ容器が容器ホルダーに対してそれ以上、傾動しなくなる。
【００１３】
本願のウエットティッシュ容器を上記の容器ホルダー内に収容して使用する場合には、ジャバラ部を屈曲させてウエットティッシュ取出口を横向きに近い斜め上方に向けておく（ウエットティッシュ取出口を容器体の軸線から例えば４０°〜６０°程度傾動させる）。尚、缶飲料用の容器ホルダーは、自動車のエアコン排風口に固定的に取付けられているが、ウエットティッシュ容器を容器ホルダー内に収容した状態では、ウエットティッシュ容器を容器ホルダー内で自由に水平回動させることができる。従って、ウエットティッシュ取出し時には、ウエットティッシュ容器を水平回転させて、ウエットティッシュ取出口を使用者側に向けることができる。そして、この状態で、ウエットティッシュ取出口の開閉蓋（片手で操作できる）を開き、ウエットティッシュ取出口に臨出しているウエットティッシュ先端部を指で摘まみ、該ウエットティッシュ先端部を手前側のほぼ横向きに引っ張る。すると、ウエットティッシュ取出口部分でかなりの摩擦抵抗力が発生するので、ウエットティッシュ容器がウエットティッシュ引っ張り方向に傾動し、そのとき容器体の側面が容器ホルダーの収容部の口縁内面に衝合する一方、容器体の下端角部が容器ホルダー収容部の下部内面に衝合して、ウエットティッシュ容器が容器ホルダー内でそれ以上、傾動しなくなる。従って、容器体を手で特別に保持しなくても、ウエットティッシュを引出すことができる。そして、引出された連続ウエットティッシュのミシン目がウエットティッシュ取出口を通過した直後に、該ミシン目部分で切断されて一単位長さのウエットティッシュが切り離される。
【００１４】
【発明の効果】
このように、本願発明のウエットティッシュ容器では、使用時に、ジャバラ部を使用者の手前側に屈曲させることによって、ウエットティッシュ取出口を手前側の横向きに近い方向に向けることができ、ウエットティッシュ取出し時に該ウエットティッシュの先端部を手前側の横方向に引出すことができる。従って、このウエットティッシュ容器を、例えば缶飲料用の容器ホルダーに収容させた状態で使用すると、上記のように容器体に手を添えることなく（片手のみで）、ウエットティッシュを引出すことができ、そのウエットティッシュ取出し作業が簡単に行えるという効果がある。
【００１５】
又、本願発明のウエットティッシュ容器は、ウエットティッシュ取出口の向きを変更させ得るようになっているが、ジャバラ部を縮小させた状態ではウエットティッシュ容器全体が直筒状（コンパクト）になり、ウエットティッシュ取出口の向きを変更させ得るものであっても、包装容器内への梱包が容易となるという効果もある。
【００１６】
【発明の実施の形態】
図１〜図４を参照して本願実施形態のウエットティッシュ容器Ｙを説明すると、この実施形態のウエットティッシュ容器Ｙは、円筒状の容器体１と、該容器体１の口部１１に取付けられる蓋体２とを有している。
【００１７】
容器体１の上部寄り位置（口部１１の近傍）には、ジャバラ部１２が形成されている。尚、この実施形態では、容器体１は、口部１１及びジャバラ部１２を連続させた状態で合成樹脂により一体成形（ブロー成形）している。
【００１８】
蓋体２は、容器体１の口部１１に対して着脱自在に螺合（符号１３）されており、容器体１内にウエットティッシュロールＲを詰め替え自在に収容し得るようになっている。
【００１９】
このウエットティッシュ容器Ｙの大きさは、特に限定するものではないが、容器体１部分の外径が６５mm、ジャバラ部１２の縮小状態（図１の状態）での全高が１２０mm程度に形成することができる。
【００２０】
ジャバラ部１２は、この実施形態では、ヒダ数を５つ設けており、該ジャバラ部１２を全伸長させると、図１に示す縮小状態から例えば４０mm程度だけ伸長させることができる。又、このジャバラ部１２は、図３及び図４に示すように屈曲させると、蓋体２を容器体１の軸線に対して例えば４０°〜６０°程度だけ傾動させることができるようになっている。
【００２１】
蓋体２には、そのほぼ中央部にウエットティッシュ取出口２１を形成している。このウエットティッシュ取出口２１は、この実施形態では十字のスリット状に形成している。尚、このウエットティッシュ取出口２１は、小径の円形穴でもよいが、ウエットティッシュロールＲの連続ウエットティッシュＴが通過する際に摩擦抵抗力を発生させて、連続ウエットティッシュＴに形成しているミシン目部分が該ウエットティッシュ取出口２１を通過した直後に、連続ウエットティッシュをミシン目部分で切断し得るような大きさに設計される。
【００２２】
このウエットティッシュ取出口２１は、開閉蓋２２で閉塞されている。この開閉蓋２２は枢動式でワンタッチ開閉できる。
【００２３】
この実施形態のウエットティッシュ容器Ｙは、図３及び図４に示すように、容器ホルダー３に収容して使用することができる。尚、容器ホルダー３としては、例えば自動車のエアコン排風口４に取付けられる缶飲料用のものが使用できる。この容器ホルダー３は、容器体１の外径（約６５mm）よりやや大きい程度の内径（７０〜７５mm程度）で、深さが４０〜５０mm程度の収容部３１を有している。そして、この容器ホルダー３は、外方に延出する係止爪３２をエアコン排風口４のルーバー部４１，４１間に差し込んで該排風口４部分に取付けられる。
【００２４】
この実施形態のウエットティッシュ容器Ｙは、次の特徴を有する。まず、このウエットティッシュ容器Ｙを商品化する際には、図１に示すように、ジャバラ部１２を縮小させたままで包装容器内に梱包できる。又、使用形態としては、図１に示すように、ジャバラ部１２を縮小させたままで、従来の用法と同様に使用したり、あるいは図３及び図４に示すように自動車のエアコン排風口４に取付けた容器ホルダー３内に収容して使用することができる。尚、図１に示すように、ジャバラ部１２を縮小させた状態では、ウエットティッシュ取出口１２が容器体１の直上方に向いており、内部のウエットティッシュを取出すには、片方の手で容器体１を握り、他方の手指で連続ウエットティッシュＴの先端部Ｔａを引出す必要がある。
【００２５】
他方、図３及び図４に示すように、このウエットティッシュ容器Ｙを容器ホルダー３に収容した状態で使用する場合には、ジャバラ部１２を屈曲させて蓋体２（ウエットティッシュ取出口２１）を横向きに近い方向に向けた姿勢で、容器体１を容器ホルダー３内に収容しておく。尚、この収容状態では、ウエットティッシュ容器Ｙを容器ホルダー３内で自由に水平回動させることができ、ウエットティッシュ取出し時には、ウエットティッシュ容器Ｙを水平回転させて、ウエットティッシュ取出口２１を使用者側に向ける。そして、この状態で、開閉蓋２２（片手で操作できる）を開き、ウエットティッシュ取出口２１に臨出しているウエットティッシュ先端部Ｔａを指で摘まみ、該ウエットティッシュ先端部Ｔａを手前側の横向きに引っ張る。すると、ウエットティッシュ取出口２１部分でかなりの摩擦抵抗力が発生するので、ウエットティッシュ容器Ｙがウエットティッシュ引っ張り方向に傾動して、図４に示すように容器体１の側面が容器ホルダー３の収容部３１の口縁内面に衝合（符号Ａ部分）する一方、容器体１の下端角部が容器ホルダー収容部３１の下部内面に衝合し（符号Ｂ部分）、ウエットティッシュ容器Ｙが容器ホルダー３内でそれ以上、傾動しなくなる。従って、容器体１を手で特別に保持しなくても、ウエットティッシュを引出すことができる。そして、引出された連続ウエットティッシュＴのミシン目がウエットティッシュ取出口２１を通過した直後に、該ミシン目部分で切断されて一単位長さのウエットティッシュが切り離される。
【００２６】
このように、ウエットティッシュ容器Ｙを容器ホルダー３内に収容して使用すると、容器体１に手を添えることなく（片手のみで）、ウエットティッシュを引出すことができる。従って、例えば、自動車の運転中に運転者自身がウエットティッシュ容器Ｙ内のウエットティッシュを取出すことができ、しかもそのウエットティッシュ取出し作業が簡単に行えるという利点がある。
【００２７】
尚、容器体１内のウエットティッシュロールＲが無くなると、蓋体２を開き、新しいウエットティッシュロールＲを容器体１内に補充することができる。
【図面の簡単な説明】
【図１】本願実施形態のウエットティッシュ容器の断面図である。
【図２】図１のウエットティッシュ容器の平面図である。
【図３】図１のウエットティッシュ容器の使用方法説明図である。
【図４】図３からの状態変化図である。
【図５】従来のウエットティッシュ容器の断面図である。
【符号の説明】
１は容器体、２は蓋体、３は容器ホルダー、４はエアコン排風口、１１は口部、１２はジャバラ部、２１はウエットティッシュ取出口、Ｒはウエットティッシュロール、Ｔは連続ウエットティッシュである。
【図１】
0003960419.tif 000002
【図２】
0003960419.tif 000003
【図３】
0003960419.tif 000004
【図４】
0003960419.tif 000005
【図５】
0003960419.tif 000006